(57)【要約】【課題】表示板の外側から表示部を指示する構成を採用しながらも違和感を軽減することが可能な指針式計器を提供する。【解決手段】指針７と、表示部材４２と、この表示部材４２の前方に配置され窓部５１３と表示部５１２とを有する表示板５１とを備え、指針７が表示板５１の外側から表示部５１２を指示するように構成してなる指針式計器において、窓部５１３を指針７の先端部の回転軌道に応じた形状に設定すると共に窓部５１３を縁取る縁取り部材６を設け、指針７が表示部材４２の厚み方向において縁取り部材６と重なる。【選択図】図１
2011149797.tif 000002
【特許請求の範囲】
【請求項１】
指針と、電気信号に応じて各種情報を表示する表示部材と、この表示部材の前方に配置され当該表示部材を視認可能とする窓部とこの窓部の周囲に配置された表示部とを有する表示板とを備え、前記指針が前記表示板の外側から前記表示部を指示するように構成してなる指針式計器において、前記窓部を前記指針の先端部の回転軌道に応じた形状に設定すると共に前記窓部を縁取る縁取り部材を設け、前記指針が前記表示部材の厚み方向において前記縁取り部材と重なることを特徴とする指針式計器。
【請求項２】
前記指針が前記表示板の外側から前記窓部に向けて伸びる指示部と前記縁取り部材と同色または同系色に形成され前記指示部の所要部を覆うカバーとでなり、少なくともこのカバーが前記厚み方向において前記縁取り部材と重なることを特徴とする請求項１記載の指針式計器。
【請求項３】
前記カバーが前記縁取り部材の内周部と前記指針の回転平面方向に対向する延長部を有することを特徴とする請求項２記載の指針式計器。
【発明の詳細な説明】
【技術分野】
【０００１】
本発明は、例えば自動車やオートバイに搭載される指針式計器に関し、特に表示板が表示部材を視認する窓部とこの窓部の周囲に配置された表示部を有し、指針が表示板の外周から表示部を指示する指針式計器に関する。
【背景技術】
【０００２】
この種の指針式計器として例えば下記特許文献１に記載されたものが知られている。この指針式計器は、ステッピングモータ等の駆動本体に連結された指針と、電気信号に応じて各種情報を表示する液晶パネルからなる表示部材と、この表示部材の前方に重ねて配置され当該表示部材を視認可能とする窓部とこの窓部の周囲に配置された表示部とを有する表示板とを備えており、指針は表示部材の背後と表示板の側方を迂回して表示板上に至ることで指針が表示板（表示部）の外側から表示部を指示するようになっている。このように構成することで表示板の中央を各種情報の表示領域としながら当該表示領域の外周で指針式表示を可能にでき、視認性の高い表示が可能となる。
【先行技術文献】
【特許文献】
【０００３】
【特許文献１】特開２００７−０９３３６６号公報
【発明の開示】
【発明が解決しようとする課題】
【０００４】
しかしながら、前記特許文献１に記載の指針式計器は、表示板の外周部前方にリング状の遮蔽部材を設けて、表示板の側方を迂回して表示板上に至る迂回部分を見えなくしているだけであるため、特に横方向から見たときに、指針の指示部が遮蔽部材にて不可視となる箇所にて支持されていることが容易に認識されてしまう。そうすると、表示板（表示部）の内側から表示部を指示する通常の指針式表示に慣れ親しんだユーザーが違和感を持ってしまうことが懸念される。
【０００５】
そこで、本発明は前述した問題点に着目し、表示板の外側から表示部を指示する構成を採用しながらも違和感を軽減することが可能な指針式計器を提供することを目的とする。
【課題を解決するための手段】
【０００６】
本発明は、指針と、電気信号に応じて各種情報を表示する表示部材と、この表示部材の前方に配置され当該表示部材を視認可能とする窓部とこの窓部の周囲に配置された表示部とを有する表示板とを備え、前記指針が前記表示板の外側から前記表示部を指示するように構成してなる指針式計器において、前記窓部を前記指針の先端部の回転軌道に応じた形状に設定すると共に前記窓部を縁取る縁取り部材を設け、前記指針が前記表示部材の厚み方向において前記縁取り部材と重なることを特徴とする。
このように指針と縁取り部材とが重なることにより、指針と縁取り部材があたかも一体部品であるかのように見えるため、表示板の外側から表示部を指示する構成を採用しながらも表示板の内側から表示部を指示する構成に錯覚させることができ、これにより違和感を軽減することができる。
【０００７】
また本発明は、前記指針が前記表示板の外側から前記窓部に向けて伸びる指示部と前記縁取り部材と同色または同系色に形成され前記指示部の所要部を覆うカバーとでなり、少なくともこのカバーが前記厚み方向において前記縁取り部材と重なることを特徴とする。
このように指針がカバーを有する場合は、カバーを縁取り部材と同色または同系色にして縁取り部材と重ねることで、表示板の内側から表示部を指示するように見える錯覚を強化し、これにより違和感を一層軽減することができる。
【０００８】
また本発明は、前記カバーが前記縁取り部材の内周部と前記指針の回転平面方向に対向する延長部を有することを特徴とする。
このようにカバーが延長部を有することにより、指針があたかも窓部に臨む表示板の背後から出ているかのように見せることができ、これにより表示板の内側から表示部を指示するように見える錯覚を強化し、違和感を一層軽減することができる。
【発明の効果】
【０００９】
本発明によれば、表示板の外側から表示部を指示する構成を採用しながらも違和感を軽減することが可能な指針式計器を提供することができる。
【図面の簡単な説明】
【００１０】
【図１】本発明の一実施形態による指針式計器の正面図。
【図２】図１のＡ−Ａ断面図（ハッチング省略）。
【図３】図２の要部拡大図。
【図４】同実施形態の指針単体を示す斜視図。
【発明を実施するための形態】
【００１１】
本発明の第１の実施形態による指示計器は、図１、図２に示すように、ケース１と、リング部材２と、駆動本体３と、第１の表示ユニット４と、第２の表示ユニット５と、縁取り部材６と、指針７とから構成されている。
【００１２】
ケース１は、例えば遮光性合成樹脂材料により前方が開放する有底枠体に形成されている。
【００１３】
リング部材２は、例えばケース１の開口側に取り付けられる筒状の支持部２１と、この支持部２１上に支持される装飾リング２２とからなる。
【００１４】
支持部２１は、例えば黒色の合成樹脂からなり、指針７の一部と第２の表示ユニット５の外周部を覆うように折れ曲がり形成されている。
【００１５】
装飾リング２２は、例えばシルバー色の塗装を施した合成樹脂からなり、支持部２１の折れ曲がり部に取り付けられている。
【００１６】
駆動本体３は、例えばステッピングモータからなり、ケース１の底部に回路基板と共に取り付けられている。この駆動本体３は、指針７と連結される指針軸３１を有し、この指針軸３１は第１の表示ユニット４に向けて延びている。
【００１７】
第１の表示ユニット４は、前面板４１と、この前面板４１の背後に配置される表示部材４２と、表示部材４２の背後に配置される第１の導光板４３と、前面板４１と表示部材４２と第１の導光板４３を支持する第１のホルダー４４とから構成されている。
【００１８】
前面板４１は、例えば透光性合成樹脂からなる基板に黒色の遮光性印刷を施してなり、表示部材４２に対応する箇所は、遮光性印刷を形成しない抜き領域（透明領域）とすることで、前面板４１を通して表示部材４２が透視できるようになっている。
【００１９】
表示部材４２は、例えば電気信号に応じて各種情報（走行距離や外気温等の車両情報、オーディオ情報、ナビゲーション情報等）を表示する液晶パネルからなり、前面板４１の前記抜き領域に対応して配置されている。
【００２０】
第１の導光板４３は、例えば透光性合成樹脂からなり、図示しない光源からの光を受けて面発光し、表示部材４２を背後から照明するものである。
【００２１】
第１のホルダー４４は、例えば乳白色の合成樹脂からなり、図示しない支持手段を通じて駆動本体３の前方に配置されている。この場合、第１のホルダー４４は、表示部材４２と導光板４３とを収納する凹部と前面板４１を支持するフランジ部を有している。
【００２２】
第２の表示ユニット５は、表示板５１と、この表示板５の背後に配置される第２の導光板５２と、この導光板５２と表示板５を前面板４１上に支持する第２のホルダー５３とから構成されている。
【００２３】
表示板５１は、表示板５は、透光性合成樹脂板に各種印刷を施して遮光性の地部５１１と透光性の表示部５１２とを形成してなる周知の印刷パネルであり、例えば地部５１１は黒色、表示部５１２は白色としてある。
【００２４】
表示部５１２は、指針３の指示対象となる数字（目盛は省略）と、前記数字の単位を示す「ｋｍ／ｈ」からなる（前記数字の）関連表示からなり、後述する窓部を取り巻くようにその周囲に円弧状に複数形成されている。
【００２５】
表示板５１は、また表示部材４２と前面板４１の一部を露出する窓部５１３が形成されている。この窓部５１３は、指針７の先端部の回転軌道に応じた円形に形成され、表示部材４に表示される各種情報を視認可能としている。なお表示板５１は、その中心に円形の窓部５１３が形成されることでドーナツ形の形状を有する。
【００２６】
第２の導光板５２は、例えば表示板４２に対応したドーナツ形の透光性合成樹脂からなり、図示しない光源からの光を受けて面発光し、表示板５１を背後から照明するものである。
【００２７】
第２のホルダー５３は、例えば乳白色の合成樹脂からなり、ドーナツ形の底板部５３１と、指針７の回転平面方向に対向するように前方に延びる一対の周壁部５３２，５３３を有している。
【００２８】
縁取り部材６は、例えば黒色の合成樹脂からなる筒体状に形成され、図３に示すように窓部５１３を縁取る縁取り部６１と、前面板４２側に延びる延長壁部６２とを有している。
【００２９】
縁取り部６１は、窓部５１３及びその周縁を縁取って表示部材４２による各種情報表示エリアと、表示部５１２エリアとを区画して、表示エリアの切り分けと見栄えを向上させる。
【００３０】
延長壁部６２は、第２のホルダー５３の内周壁となる周壁部５３２を覆って延長壁部６２を不可視状態とし、見栄えを向上させる。
【００３１】
指針７は、図２，４に示すように第１，第２の表示ユニット４，５の背後と第２の表示ユニット５の側方を迂回して第２の表示ユニット５（表示板５１）の前方に至る全体構造を有し、駆動本体３の指針軸３１に連結される第１の指針部７１と、この第１の指針部７１と組み合わされる第２の指針部７２と、この第２の指針部７２に取り付けられる指針用光源７３と、第２の指針部７２を覆うカバー７４とで構成されている。
【００３２】
第１の指針部７１は、例えば不透光性合成樹脂を用いてＬ字状に屈曲するように形成され、第１，第２の表示ユニット４，５の背後を外側に延びる部分と、第２の表示ユニット５の側方を前方に延びる部分とを有する。
【００３３】
第２の指針部７２は、例えば透光性合成樹脂を用いてＬ字状に屈曲するように形成され、第２の表示ユニット５の側方を前方に延びる部分と、表示板５１の前方を当該表示板５１の外側から窓部５１３に向けて伸びる部分からなる指示部７２１とを有する。
【００３４】
指針用光源７３は、例えば発光ダイオードからなり、指示部７２１の後方端部に装着されて指示部７２１を発光させる。この指針用光源７３には、例えば可撓性回路基板からなる導通部材が接続されている。
【００３５】
カバー７４は、縁取り部材６と同色となる黒色の合成樹脂からなり、指示部７２１の後方端部を除くと共に先端部を含む側面全体を囲んでいる。
【００３６】
このカバー７４の先端には、前面板４１側に延びる延長部７４１が形成されている。この延長部７４１は、例えばカバー７４の先端側の幅に等しい幅を有して表示部材４２の厚み方向に向けて縁取り部材６の内周部と指針７の回転平面方向に対向する位置まで延びている。これにより延長部７４１と縁取り部材６とは空間を隔てて指針７の回転平面方向に重なる。
【００３７】
ここで指針７と縁取り部材６との関係に注目すると、図１、図３に示すように、指針７の指示部７２１とカバー７４の双方が視認方向となる表示部材４２の厚み方向（指針７の回転平面と直交する方向または指針軸３１の軸方向）において縁取り部材６と重なっている。
【００３８】
以上のように、本実施形態では、指針７と、電気信号に応じて各種情報を表示する表示部材４２と、この表示部材４２の前方に配置され当該表示部材４２を視認可能とする窓部５１３とこの窓部５１３の周囲に配置された表示部５１２とを有する表示板５１とを備え、指針７が表示板５１の外側から表示部５１２を指示するように構成してなる指針式計器において、窓部５１３を指針７の先端部の回転軌道に応じた形状に設定すると共に窓部５１３を縁取る縁取り部材６を設け、指針７が表示部材４２の厚み方向において縁取り部材６と重なることにより、指針７（指示部７２１）と縁取り部材６があたかも一体部品であるかのように見えるため、表示板５１の外側から表示部５１２を指示する構成を採用しながらも表示板５１の内側から表示部５１２を指示する構成に錯覚させることができ、これにより違和感を軽減することができる。
【００３９】
また本実施形態では、指針７が表示板５１の外側から窓部５１３に向けて伸びる指示部７２１と縁取り部材６と同色または同系色に形成され指示部７２１の所要部を覆うカバー７４とを有し、少なくともこのカバー７４が表示部材４２の厚み方向において縁取り部材６と重なることにより、指針７がカバー７４を有する場合は、カバー７４を縁取り部材６と同色にして縁取り部材６と重ねることで、表示板５１の内側から表示部５１２を指示するように見える錯覚を強化し、これにより違和感を一層軽減することができる。なおカバー７４と縁取り部材６は、完全に同色でなくともよく、同系色であることが望ましい。
【００４０】
また本実施形態では、カバー７４が縁取り部材６の内周部と指針７の回転平面方向に対向する延長部７４１を有することにより、指針７があたかも窓部５１３に臨む表示板５１の背後から出ているかのように見せることができ、これにより表示板５１の内側から表示部５１２を指示するように見える錯覚を強化し、違和感を一層軽減することができる。
【００４１】
なお本実施形態では、指針７を迂回形状に設定したが、指針（指示部）が表示板５１の外側から表示部５１２を指示するように構成できれば任意の構成を採用でき、例えば駆動本体にて回転するリング状ギヤやベルトに指針を取り付けてもよい。
【符号の説明】
【００４２】
１  ケース
２  リング部材
３  駆動本体
４  第１の表示ユニット
５  第２の表示ユニット
６  縁取り部材
７  指針
２１  支持部
２２  装飾リング
３１  指針軸
４１  前面板
４２  表示部材
４３  第１の導光板
４４  第１のホルダー
５１  表示板
５２  第２の導光板
５３  第２のホルダー
６１  縁取り部
６２  延長壁部
７１  第１の指針部
７２  第２の指針部
７３  指針用光源
７４  カバー
５１１  地部
５１２  表示部
５１３  窓部
５３２，５３３  周壁部
７２１  指示部
７４１  延長部
【図１】
2011149797.tif 000003
【図２】
2011149797.tif 000004
【図３】
2011149797.tif 000005
【図４】
2011149797.tif 000006